(57)【要約】【課題】信号線の信頼性を高めて発音精度および発音品質を向上させることができる電子打楽器を提供する。【解決手段】電子打楽器１００は、演奏者によって叩かれるヘッド１０１に接触した状態で３つの叩打センサ１０４ａ〜１０４ｃをそれぞれ備えている。３つの叩打センサ１０４ａ〜１０４ｃは、出力信号線１０６および連結信号線１０８によって電気的に接続されている。出力信号線１０６は、信号処理装置に対して３つの叩打センサ１０４ａ〜１０４ｃのうちの２つの叩打センサ１０４ａ，１０４ｃを並列に接続する。連結信号線１０８は、２つの叩打センサ１０４ａ，１０４ｃ間ですべての叩打センサ１０４ａ〜１０４ｃを直列に接続する。これにより、すべての叩打センサ１０４ａ〜１０４ｃが環状の一繋がりに連結されて信号処理装置に検出信号を伝達する。【選択図】  図３
2018109717.tif 000002
【特許請求の範囲】
【請求項１】
演奏者によって叩かれる打面を構成するヘッドと、
前記ヘッドに対して互いに異なる位置で直接的または間接的に接触して前記ヘッドの叩打による振動および圧力のうちの少なくとも一方を検出して電気的な検出信号に変換する複数の叩打センサと、
前記複数の叩打センサのうちの２つの前記叩打センサからそれぞれ延びるとともに、前記検出信号を処理する信号処理装置に直接的または間接的に接続される２つの出力信号線と、
前記２つの出力信号線間ですべての前記叩打センサを順次一繋ぎに接続する連結信号線とを備えることを特徴とする電子打楽器。
【請求項２】
請求項１に記載した電子打楽器において、さらに、
それぞれ電線で構成された前記２つの出力信号線を互いに電気的に接続するプリント配線基板を備えることを特徴とする電子打楽器。
【請求項３】
請求項２に記載した電子打楽器において、
前記２つの出力信号線は、コネクタを介して前記プリント配線基板に接続されていることを特徴とする電子打楽器。
【請求項４】
請求項１ないし請求項３のうちのいずれか１つに記載した電子打楽器において、
前記複数の叩打センサは、
前記ヘッドの平面視での中心部分を中心として均等配置されていることを特徴とする電子打楽器。
【請求項５】
請求項１ないし請求項４のうちのいずれか１つに記載した電子打楽器において、
前記出力信号線および前記連結信号線は、
前記叩打センサの中心を介したそれぞれ反対側に接続されていることを特徴とする電子打楽器。
【請求項６】
演奏者によって叩かれる打面を構成するヘッドと、
前記ヘッドに対して互いに異なる位置で直接的または間接的に接触して前記ヘッドの叩打による振動および圧力のうちの少なくとも一方を検出して電気的な検出信号に変換する複数の叩打センサと、
すべての前記叩打センサからそれぞれ延びるとともに、前記検出信号を処理する信号処理装置に直接的または間接的に接続される複数の第１信号線と、
前記第１信号線とは別に設けられてすべての前記叩打センサからそれぞれ延びて前記信号処理装置に直接的または間接的に接続される第２信号線とを備えることを特徴とする電子打楽器。
【発明の詳細な説明】
【技術分野】
【０００１】
本発明は、手やスティックなどで叩かれた打面の衝撃を検出して電子的な楽音を発生させる電子打楽器に関する。
【背景技術】
【０００２】
従来から、手やスティックなどで叩かれた打面の衝撃を検出して電子的な楽音を発生させる電子打楽器がある。例えば、下記特許文献１には、棒状に延びる打面の裏側に２つの振動センサからなる叩打センサを配置して感度分布の均一化を図った棒状打楽器が開示されている。
【先行技術文献】
【特許文献】
【０００３】
【特許文献１】特開２０１４−１１９６６４号公報
【０００４】
しかしながら、上記特許文献１に記載された棒状打楽器においては、２つの叩打センサ（振動センサ）がそれぞれ１つずつの信号線で音源装置に電気的に接続されているため、これらの信号線に断線が生じた場合には感度分布の偏りが生じたり、楽音自体が不能となったりして発音精度および発音品質が低下するという問題がある。
【０００５】
本発明は上記問題に対処するためなされたもので、その目的は、信号線の信頼性を高めて発音精度および発音品質を向上させることができる電子打楽器を提供することにある。
【発明の概要】
【０００６】
上記目的を達成するため、本発明の特徴は、演奏者によって叩かれる打面を構成するヘッドと、ヘッドに対して互いに異なる位置で直接的または間接的に接触してヘッドの叩打による振動および圧力のうちの少なくとも一方を検出して電気的な検出信号に変換する複数の叩打センサと、複数の叩打センサのうちの２つの叩打センサからそれぞれ延びるとともに、検出信号を処理する信号処理装置に直接的または間接的に接続される２つの出力信号線と、前記２つの出力信号線間ですべての叩打センサを順次一繋ぎに接続する連結信号線とを備えることにある。
【０００７】
このように構成した本発明の特徴によれば、電子打楽器は、複数の叩打センサのうちの２つの叩打センサにそれぞれ信号処理装置に接続される出力信号線を接続するとともに、これら２つの叩打センサ間ですべての叩打センサを連結信号線によって順次一繋がりに連結しているため、出力信号線および連結信号線のうちの一か所で断線が生じた場合であっても２つの出力信号線のうちの一方を介して検出信号が信号処理装置に伝達される。このため、本願発明に係る電子打楽器によれば、信号処理装置に対する信号線の信頼性が向上して検出信号に基づく発音精度および発音品質を向上させることができる。また、この電子打楽器によれば、後述する第１信号線および第２信号線を用いた配線構造に比べて効率的な配線ができ、電子打楽器の構成を軽量化および簡単化することができる。
【０００８】
また、本発明の他の特徴は、前記電子打楽器において、さらに、それぞれ電線で構成された前記２つの出力信号線を互いに電気的に接続するプリント配線基板を備えることにある。
【０００９】
このように構成した本発明の他の特徴によれば、電子打楽器は、さらに、それぞれ電線で構成された前記２つの出力信号線を互いに電気的に接続するプリント配線基板を備えているため、２つの電線からなる出力信号線同士を直接結線する場合に比べて結線のための作業負担を軽減できるとともに、結線部の耐久性および信頼性の低下を回避することができる。
【００１０】
また、本発明の他の特徴は、前記電子打楽器において、前記２つの出力信号線は、コネクタを介してプリント配線基板に接続されていることにある。
【００１１】
このように構成した本発明の他の特徴によれば、電子打楽器は、前記２つの出力信号線がコネクタを介してプリント配線基板に接続されているため、２つの出力信号線をプリント配線基板に対して半田付けする場合に比べて２つの出力信号線のプリント配線基板への接続作業を簡単かつ短時間に正確に行うことでき、電子打楽器の生産性および信頼性を向上せることができる。
【００１２】
また、本発明の他の特徴は、前記電子打楽器において、複数の叩打センサは、ヘッドの平面視での中心部分を中心として均等配置されていることにある。
【００１３】
このように構成した本発明の他の特徴によれば、電子打楽器は、複数の叩打センサがヘッドの平面視での中心部分を中心として均等配置されているため、打面の全面に亘って感度分布の均一化を図ることができる。
【００１４】
また、本発明の他の特徴は、前記電子打楽器において、出力信号線および連結信号線は、叩打センサの中心を介したそれぞれ反対側に接続されていることにある。
【００１５】
このように構成した本発明の他の特徴によれば、電子打楽器は、出力信号線および連結信号線が叩打センサの中心を介したそれぞれ反対側に接続されているため、出力信号線および連結信号線の接続による叩打センサの変形の偏りを抑えて叩打センサの検出特性を安定化させることができる。
【００１６】
また、上記目的を達成するため、本発明の特徴は、演奏者によって叩かれる打面を構成するヘッドと、ヘッドに対して互いに異なる位置で直接的または間接的に接触してヘッドの叩打による振動および圧力のうちの少なくとも一方を検出して電気的な検出信号に変換する複数の叩打センサと、すべての叩打センサからそれぞれ延びるとともに、検出信号を処理する信号処理装置に直接的または間接的に接続される複数の第１信号線と、第１信号線とは別に設けられてすべての叩打センサからそれぞれ延びて信号処理装置に直接的または間接的に接続される第２信号線とを備えることにある。
【００１７】
このように構成した本発明の特徴によれば、電子打楽器は、複数の叩打センサから出力される検出信号を処理する信号処理装置に対して複数の叩打センサがそれぞれ第１信号線および第２信号線の２つの信号線で電気的に接続されているため、第１信号線および第２信号線のうちの一方が断線した場合であっても他方の信号線によって検出信号が信号処理装置に伝達されるため、信号線の信頼性が向上して検出信号に基づく発音精度および発音品質を向上させることができる。
【図面の簡単な説明】
【００１８】
【図１】本発明の第１実施形態に係る電子打楽器の外観構成の概略を示す斜視図である。
【図２】図１に示す電子打楽器の内部構成の概略を示す断面図である。
【図３】図１に示す電子打楽器の内部構成の概略を裏面カバーを省略した状態で示す底面図である。
【図４】図３および図９に示す複数の叩打センサへの出力信号線および連結信号線の配線状態を示す模式図である。
【図５】図４および図９に示す叩打センサへの出力信号線および連結信号線の各配線位置を説明するための模式図である。
【図６】図３および図９に示した複数の叩打センサを繋ぐ連結信号線に断線が生じた場合の検出信号の出力経路を説明するための模式図である。
【図７】図３および図９に示した複数の叩打センサを繋ぐ出力信号線に断線が生じた場合の検出信号の出力経路を説明するための模式図である。
【図８】本発明の第２実施形態に係る電子打楽器の外観構成の概略を示す斜視図である。
【図９】図８に示す電子打楽器の外観構成の概略を示す平面図である。
【図１０】図９に示す１０−１０線からみた電子打楽器の内部構成の概略を示す断面図である。
【図１１】本発明の変形例に係る複数の叩打センサへの出力信号線および連結信号線の配線状態を示す模式図である。
【図１２】本発明の他の変形例に係る複数の叩打センサへの出力信号線および連結信号線の配線状態を示す模式図である。
【図１３】本発明の他の変形例に係る複数の叩打センサへの出力信号線および連結信号線の配線状態を示す模式図である。
【発明を実施するための形態】
【００１９】
（第１実施形態）
以下、本発明に係る電子打楽器の第１実施形態について図面を参照しながら説明する。図１は、本発明に係る電子打楽器１００の外観構成の概略を模式的に示した斜視図である。また、図２は、図１に示す電子打楽器１００の内部構成の概略を模式的に示す断面図である。なお、本明細書において参照する図は、本発明の理解を容易にするために一部の構成要素を誇張して表わすなど模式的に表している。このため、各構成要素間の寸法や比率などは異なっていることがある。この電子打楽器１００は、演奏者（図示せず）がスティック（図示せず）を介して叩いた打面の衝撃を検出して電子的な楽音を発生させる電子シンバルである。
【００２０】
（電子打楽器１００の構成）
電子打楽器１００は、ヘッド１０１を備えている。ヘッド１０１は、演奏者による叩く操作によって振動する部品であり、上方に向かって凸状に湾曲するとともに平面視で円形の板状体で構成されている。このヘッド１０１は、主として、ベース体１０２、叩打センサ１０４ａ〜１０４ｃ、パッド１１０および裏面カバー１１１をそれぞれ備えている。
【００２１】
ベース体１０２は、ヘッド１０１を形作る芯材となる部品であり、金属材または樹脂材を上方に向かって凸状に湾曲するとともに平面視で円環状の板状体に形成して構成されている。このベース体１０２は、中央部に取付孔１０２ａが形成されている。取付孔１０２ａは、この電子打楽器１００を所定の高さ位置に支持するための棒状のスタンド９０が貫通する部分である。この取付孔１０２ａの図示上側の端面には、保持プレート１０３が設けられている。
【００２２】
保持プレート１０３は、ベース体１０２をスタンド９０に取り付けるための部品であり、ゴム材を平面視で円形のリング状に形成して構成されている。この保持プレート１０３は、ベース体１０２の裏面１０２ｂ側から挿入される取付ボルト１０３ａによってベース体１０２に固定的に取り付けられている。そして、保持プレート１０３は、前記スタンド９０が貫通した２つのフェルト製の押圧具９１ａ，９１ｂで挟まれることによってスタンド９０に保持される。なお、図２においては、スタンド９０、押圧具９１ａ，９１ｂおよびスタンド９０に付随する他の部品を二点鎖線でそれぞれ示している。
【００２３】
ベース体１０２の裏面１０２ｂには、取付孔１０２ａの周囲に凹状に凹んだ取付部１０２ｃが形成されており、この取付部１０２ｃに６つの前記取付ボルト１０３ａおよびこれら６つの取付ボルト１０３ａの外側に３つの叩打センサ１０４ａ〜１０４ｃがそれぞれ設けられている。３つの叩打センサ１０４ａ〜１０４ｃは、ヘッド１０１の振動を検出する検出器であり、ベース体１０２の振動に応じた電気信号からなる検出信号を図示しない信号処理装置に出力する。本実施形態においては、各叩打センサ１０４ａ〜１０４ｃは、圧電セラミックスの両面にそれぞれ電極を配置するとともに、これらの電極の一方に金属板を配置したピエゾ素子によって構成されている。
【００２４】
ここで、信号処理装置は、電子打楽器１００とは別体で設けられるマイクロコンピュータを備えて構成されており、叩打センサ１０４ａ〜１０４ｃから出力される検出信号に基づいて楽音信号を出力する電子回路、すなわち、音源である。この信号処理装置には、図示しない外部スピーカが接続されている。
【００２５】
３つの叩打センサ１０４ａ〜１０４ｃは、図３に示すように、取付部１０２ｃに取付孔１０２ａを中心として周方向に均等配置されて両面粘着テープ１０５によってそれぞれ取り付けられている。この場合、両面粘着テープ１０５は、各叩打センサ１０４ａ〜１０４ｃの外径よりも小さい外径で形成されている。これにより、３つの叩打センサ１０４ａ〜１０４ｃは、平面視で円板状の電極の外縁部が取付部１０２ｃの表面から離隔した状態で取付部１０２ｃに取り付けられている。また、３つの叩打センサ１０４ａ〜１０４ｃは、出力信号線１０６および連結信号線１０８によって電気的に接続されている。
【００２６】
出力信号線１０６は、図４に示すように、３つの叩打センサ１０４ａ〜１０４ｃのうちの任意の２つの叩打センサ１０４ａ〜１０４ｃと前記信号処理装置とをそれぞれ電気的に接続するための電線であり、導電体（例えば、銅線）を線状に形成して構成されている。本実施形態においては、出力信号線１０６は、２つの叩打センサ１０４ａ，１０４ｃにそれぞれ設けられている。これらの各出力信号線１０６における叩打センサ１０４ａ，１０４ｃとは反対側の端部は、コネクタ１０７を介して出力端子１１２にそれぞれ接続されている。
【００２７】
コネクタ１０７は、２つの出力信号線１０６をそれぞれ構成する各正極側の電線および各負極側の電線の合計４つの電線の各端部を一括して出力端子１１２のプリント配線基板１１２ａに着脱自在に接続するための器具であり、樹脂製のハウジング内に前記４つの電線に対応する４つの電極を備えて構成されている。
【００２８】
連結信号線１０８は、図４に示すように、前記出力信号線１０６とは別に設けられて前記出力信号線１０６が接続された２つの叩打センサ１０４ａ，１０４ｃ間ですべての叩打センサ１０４ａ〜１０４ｃを順次一繋ぎに接続するための電線であり、導電体（例えば、銅線）を線状に形成して構成されている。本実施形態においては、連結信号線１０８は、叩打センサ１０４ａと叩打センサ１０４ｂとを電気的に接続するとともに叩打センサ１０４ｂと叩打センサ１０４ｃとを電気的に接続することにより、叩打センサ１０４ａと叩打センサ１０４ｃとの間において叩打センサ１０４ａ〜１０４ｃを順次一繋ぎに接続している。
【００２９】
この場合、各連結信号線１０８は、叩打センサ１０４ａ〜１０４ｃにおける正極同士および負極同士の同極同士を互いに接続する。これにより、叩打センサ１０４ａ〜１０４ｃは、出力信号線１０６、連結信号線１０８およびプリント配線基板１１２ａによって環状に一繋ぎに接続される。
【００３０】
これらの出力信号線１０６および連結信号線１０８は、取付部１０２ｃの表面に沿って取り付けられるとともに、図５に示すように、各叩打センサ１０４ａ〜１０４ｃの外縁部にそれぞれ半田付けなどを介して接続される。この場合、出力信号線１０６および連結信号線１０８は、各叩打センサ１０４ａ〜１０４ｃに対して各叩打センサ１０４ａ〜１０４ｃの中心Ｏを介したそれぞれ反対側に接続されている。
【００３１】
ここで、叩打センサ１０４ａ〜１０４ｃの中心Ｏを介したそれぞれ反対側とは、叩打センサ１０４ａ〜１０４ｃの中心Ｏを中心として叩打センサ１０４ａ〜１０４ｃにおける出力信号線１０６（または連結信号線１０８）の接続点Ｐ１から右回りに９０°以上の領域でかつ同接続点Ｐ１左回りに９０°以上の領域の１８０°の領域Ｅに連結信号線１０８（または出力信号線１０６）の接続点Ｐ２が存在していることを言う。
【００３２】
本実施形態においては、出力信号線１０６（または連結信号線１０８）は、叩打センサ１０４ａ〜１０４ｃの中心Ｏを中心として叩打センサ１０４ａ〜１０４ｃにおける出力信号線１０６（または連結信号線１０８）の接続点Ｐ１から右回りに１３５°以上の領域でかつ左回りに１３５°以上の領域の９０°の領域Ｅ内に連結信号線１０８（または出力信号線１０６）の接続点Ｐ２が形成されている。なお、図５においては、叩打センサ１０４ａを構成する図示内側の電極に接続された出力信号線１０６に対する連結信号線１０８の接続位置の範囲を示している。また、図２においては、出力信号線１０６、コネクタ１０７および連結信号線１０８の図示を省略している。
【００３３】
パッド１１０は、演奏者がスティックなどを用いて叩く打面を構成する部分であり、ゴム材または発泡樹脂材などからなる弾性体をベース体１０２の上面および外縁部をそれぞれ覆う円環状に形成して構成されている。なお、ヘッド１０１は、本実施形態においては、ベース体１０２およびパッド１１０の２種の材料で構成されているが、１種の材料、例えば、樹脂材料のみまたは樹脂材料を含む繊維強化プラスチックのみで構成することもできる。
【００３４】
裏面カバー１１１は、ベース体１０２の裏面１０２ｂに取り付けられて取付部１０２ｃおよびこの取付部１０２ｃに取り付けられた叩打センサ１０４ａ〜１０４ｃをそれぞれ覆うとともに出力端子１１２を収納する部品であり、樹脂材を平面視で円筒状に形成して構成されている。この場合、裏面カバー１１１は、出力端子１１２を外部に露出させた状態で収納している。この裏面カバー１１１は、図示しない取付ボルトによってベース体１０２の裏面１０２ｂに取り付けられている。
【００３５】
出力端子１１２は、叩打センサ１０４ａ〜１０４ｃからそれぞれ出力される検出信号を電子打楽器１００の外部に設けられる信号処理装置に対して出力するために信号処理装置と叩打センサ１０４ａ〜１０４ｃとを出力信号線１０６を介して着脱自在に接続するためのジャック型のインターフェースである。この出力端子１１２は、樹脂製の筐体内にコネクタ１０７が着脱自在に接続されるメス型コネクタを有したプリント配線基板１１２ａを備えている。プリント配線基板１１２ａは、２つの出力信号線１０６の各正極の信号線同士を互いに接続するとともに各負極の信号線同士を互いに接続してそれぞれジャックに伝達する配線が形成されている。なお、図３においては、裏面カバー１１１を省略するとともに出力端子１１２を二点鎖線で示している。
【００３６】
（電子打楽器１００の作動）
次に、このように構成した電子打楽器１００の作動について説明する。まず、演奏者は、電子打楽器１００をスタンド９０に組み付けた後、出力端子１１２と信号処理装置とを図示しないケーブルを介して電気的に接続して電子打楽器１００を演奏可能な状態とする。
【００３７】
次に、演奏者は、電子打楽器１００を演奏する。具体的には、演奏者は、スティックを用いてヘッド１０１の上面を叩く。これにより、各叩打センサ１０４ａ〜１０４ｃは、パッド１１０およびベース体１０２をそれぞれ介して伝搬した振動に応じた検出信号を出力信号線１０６に直接または連結信号線１０８を介して間接的に出力信号線１０６に出力する。この場合、連結信号線１０８に出力された検出信号は、連結信号線１０８に繋がる叩打センサ１０４ａ〜１０４ｃを介して出力信号線１０６に伝達される。
【００３８】
出力信号線１０６に伝達された検出信号は、コネクタ１０７を介して出力端子１１２のプリント配線基板１１２ａで叩打センサ１０４ａ〜１０４ｃからそれぞれ出力された検出信号の電気的な総和信号（振動波形の総和信号）に合成されて信号処理装置に出力される。これにより、信号処理装置は、出力信号線１０６を介して入力した前記総和信号からなる検出信号に基づいて楽音を表す楽音信号を生成して外部スピーカに出力する。この結果、電子打楽器１００は、演奏者の演奏操作に応じた楽音を外部スピーカから出力することができる。
【００３９】
一方、電子打楽器１００の演奏時において、電子打楽器１００は、各叩打センサ１０４ａ〜１０４ｃ間における出力信号線１０６または連結信号線１０８の一か所で断線が生じた場合であっても支障なく演奏を続けることができる。具体的には、電子打楽器１００は、例えば、図６に示すように、叩打センサ１０４ａと叩打センサ１０４ｂとの間の連結信号線１０８が断線した場合には、叩打センサ１０４ｂの検出信号は叩打センサ１０４ｂと叩打センサ１０４ｃとを繋ぐ連結信号線１０８、叩打センサ１０４ｃおよび出力信号線１０６を介して図示左回りで信号処理装置に伝達される（破線矢印参照）。
【００４０】
また、電子打楽器１００は例えば、図７に示すように、叩打センサ１０４ａと叩打センサ１０４ｃとの間で叩打センサ１０４ｃ側により近い部分の出力信号線１０６が断線した場合には、叩打センサ１０４ｃの検出信号は叩打センサ１０４ｃと叩打センサ１０４ｂとを繋ぐ連結信号線１０８、叩打センサ１０４ｂ、叩打センサ１０４ｂと叩打センサ１０４ａとを繋ぐ連結信号線１０８、叩打センサ１０４ａおよび出力信号線１０６を介して図示右回りで信号処理装置に伝達される（破線矢印参照）。
【００４１】
次に、演奏者は、電子打楽器１００の演奏を終える場合には、電子打楽器１００と信号処理装置との電気的な接続を外した後、電子打楽器１００をスタンド９０から取り外す。これにより、演奏者は、電子打楽器１００の演奏を終了することができる。
【００４２】
上記作動説明からも理解できるように、上記第１実施形態によれば、電子打楽器１００は、３つの叩打センサ１０４ａ〜１０４ｃのうちの２つの叩打センサ１０４ａ，１０４ｃにそれぞれ信号処理装置に接続される出力信号線１０６を接続するとともに、これら２つの叩打センサ１０４ａ，１０４ｃ間ですべての叩打センサ１０４ａ〜１０４ｃを連結信号線１０８によって順次一繋がりに連結しているため、出力信号線１０６および連結信号線１０８のうちの一か所で断線が生じた場合であっても２つの出力信号線１０６のうちの一方を介して検出信号が信号処理装置に伝達される。このため、本願発明に係る電子打楽器１００によれば、信号処理装置に対する信号線の信頼性が向上して検出信号に基づく発音精度および発音品質を向上させることができる。また、この電子打楽器１００によれば、後述する第１信号線４１０および第２信号線４２０を用いた配線構造に比べて効率的な配線ができ、電子打楽器の構成を軽量化および簡単化することができる。
【００４３】
（第２実施形態）
次に、本発明に係る電子打楽器の第２実施形態について図８〜図１０を用いて説明する。この第２実施形態の説明においては、主として、上記第１実施形態と異なる部分について説明し、共通する部分については適宜省略する。この第２実施形態に係る電子打楽器２００は、演奏者（図示せず）がスティック（図示せず）を介して叩いた打面２０１ａの衝撃を検出して電子的な楽音を発生させる電子ドラムである。
【００４４】
（電子打楽器２００の構成）
電子打楽器２００は、ヘッド２０１を備えている。ヘッド２０１は、演奏者による叩く操作によって振動および弾性変形する部品であり、布材または樹脂材をシート状または薄板状に形成して構成されている。本実施形態においては、ヘッド２０１は、メッシュ状のシート体を平面視で円形に形成して構成されている。このヘッド２０１は、外縁部がヘッド枠２０２によって保持されている。
【００４５】
ヘッド枠２０２は、ヘッド２０１をシェル２０３上にテンションを張った状態で配置するために部品であり、金属材または樹脂材を環状に形成して構成されている。このヘッド枠２０２は、ヘッド２０１の外縁部を保持した状態でシェル２０３の外周部に嵌合している。この場合、ヘッド枠２０２は、環状の上面がフープ２１２によって押さえられている。
【００４６】
シェル２０３は、ヘッド２０１および叩打センサ２０５ａ〜２０５ｃをそれぞれ支持する部品であり、金属材、樹脂材または木材を円筒状に形成して構成されている。このシェル２０３は、一方（図示上側）の端部がヘッド２０１によって閉塞されているとともに、他方（図示下側）の端部が開口している。これにより、ヘッド２０１は、シェル２０３の外側に露出する面が打面２０１ａを構成するとともにシェル２０３の内側に面する面が裏面２０１ｂを構成する。このシェル２０３の内周面には、センサ支持体２０４が設けられている。
【００４７】
センサ支持体２０４は、図１０に示すように、ヘッド１０１の裏面２０１ｂに隣接した位置で叩打センサ２０５ａ〜２０５ｃを支持するための部品であり、叩打センサ２０５ａ〜２０５ｃごとにシェル２０３の内周面から径方向方内側に向かって張り出す金属板で構成されている。この場合、センサ支持体２０４は、叩打センサ２０５ａ〜２０５ｃが有するセンサ押圧体２０６がヘッド２０１に接触する位置に図示しない接着剤またはネジなどによってシェル２０３の内周面に取り付けられる。これら３つの各センサ支持体２０４の上面には、叩打センサ２０５ａ〜２０５ｃがそれぞれ設けられている。
【００４８】
叩打センサ２０５ａ〜２０５ｃは、叩打センサ１０４ａ〜１０４ｃと同様に、ヘッド２０１の振動を検出するピエゾ素子からなる検出器であり、ヘッド２０１の振動に応じた電気信号からなる検出信号を図示しない信号処理装置に出力する。また、信号処理装置は、電子打楽器２００とは別体で設けられる音源であり、図示しない外部スピーカが接続されている。
【００４９】
３つの叩打センサ２０５ａ〜２０５ｃは、平面視で円形のヘッド２０１の中心を中心として周方向に均等配置されて図示しない両面粘着テープによってセンサ支持体２０４上にそれぞれ取り付けられている。そして、各叩打センサ２０５ａ〜２０５ｃ上には、センサ押圧体２０６がそれぞれ設けられている。
【００５０】
センサ押圧体２０６は、ヘッド２０１の撓み変形に応じて叩打センサ２０５ａ〜２０５ｃを押圧するための部品であり、弾性を有する材料を円柱状に形成して構成されている。より具体的には、センサ押圧体２０６は、各叩打センサ２０５ａ〜２０５ｃ側からヘッド２０１側に向かって外径が徐々に細くなるテーパ形状に形成されている。本実施形態においては、各センサ押圧体２０６は、ゴム材で形成されており、各叩打センサ２０５ａ〜２０５ｃに対して図示しない両面テープや接着剤などによって固着されている。なお、図９においては、センサ支持体２０４およびセンサ押圧体２０６をそれぞれ破線で示している。
【００５１】
これらの叩打センサ２０５ａ〜２０５ｃは、図４に示すように、出力信号線２０７および連結信号線２１０によって電気的に接続されている。出力信号線２０７は、出力信号線１０６と同様に、３つの叩打センサ２０５ａ〜２０５ｃのうちの任意の２つの叩打センサ２０５ａ〜２０５ｃと前記信号処理装置とを電気的に接続するための電線である。本実施形態においては、出力信号線２０７は、２つの叩打センサ２０５ａ，２０５ｃにそれぞれ設けられている。これらの各出力信号線２０７における叩打センサ２０５ａ，２０５ｃとは反対側の端部は、前記コネクタ１０７と同様のコネクタ２０８を介して出力端子２０９のプリント配線基板２０９ａにそれぞれ接続されている。
【００５２】
連結信号線２１０は、連結信号線１０８と同様に、前記出力信号線２０７とは別に設けられて前記出力信号線２０７が接続された２つの叩打センサ２０５ａ，２０５ｃ間ですべての叩打センサ２０５ａ〜２０５ｃを順次一繋ぎに接続するための電線である。本実施形態においては、連結信号線２１０は、叩打センサ２０５ａと叩打センサ２０５ｂとを電気的に接続するとともに叩打センサ２０５ｂと叩打センサ２０５ｃとを電気的に接続することにより、叩打センサ２０５ａと叩打センサ２０５ｃとの間において叩打センサ２０５ａ〜２０５ｃを順次一繋ぎに接続している。
【００５３】
この場合、各連結信号線２１０は、各連結信号線１０８と同様に、叩打センサ２０５ａ〜２０５ｃにおける正極同士および負極同士の同極同士を互いに接続する。これにより、叩打センサ２０５ａ〜２０５ｃは、出力信号線２０７、連結信号線２１０およびプリント配線基板２０９ａによって環状に一繋ぎに接続される。
【００５４】
これらの出力信号線２０７および連結信号線２１０は、図５に示すように、各叩打センサ２０５ａ〜２０５ｃの外縁部にそれぞれ半田付けなどを介して接続されるとともに、各叩打センサ２０５ａ〜２０５ｃに対して各叩打センサ２０５ａ〜２０５ｃの中心を介したそれぞれ反対側に接続されている。本実施形態においては、出力信号線２０７（または連結信号線２１０）は、叩打センサ２０５ａ〜２０５ｃの中心Ｏを中心として叩打センサ２０５ａ〜２０５ｃにおける出力信号線２０７（または連結信号線２１０）の接続点Ｐ１から右回りに１３５°以上の領域でかつ左回りに１３５°以上の領域の９０°の領域Ｅに連結信号線２１０（または出力信号線２０７）の接続点Ｐ２が形成されている。なお、図１０においては、出力信号線２０７および連結信号線２１０の図示を省略している。
【００５５】
一方、シェル２０３の外周面には、ラグ２１１が設けられている。ラグ２１１は、フープ２１２をヘッド枠２０２の上面に押し付けるための部品であり、シェル２０３の外周面上に張り出した状態で設けられている。より具体的には、ラグ２１１は、シェル２０３の軸方向に延びる金属製のブロック体で構成されており、このブロック体におけるヘッド枠２０２側（図示上側）の端面に雌ネジ（図示せず）が形成されている。
【００５６】
そして、ラグ２１１は、前記雌ネジにフープ２１２を貫通するテンションボルト２１３が捩じ込まれることでフープ２１２を固定的に支持している。このラグ２１１は、シェル２０３の周方向に沿って複数設けられている。本実施形態においては、ラグ２１１は、シェル２０３の周方向に沿って互いに略均等な間隔で６つ形成されている。
【００５７】
フープ２１２は、ヘッド枠２０２の上面を押してヘッド２０１をシェル２０３上で張るための部品であり、金属材を段付きの円筒状に形成して構成されている。このフープ２１２は、一方（図示上側）の端部がヘッド２０１が張られたシェル２０３の上端部から張り出すとともに、他方（図示下側）の端部側が径方向外側に張り出した後、ヘッド枠２０２の下端部から張り出す円筒状に形成されている。そして、フープ２１２は、前記他方の端部側におけり径方向外側に張り出した部分がテンションボルト２１３を介してラグ２１１に取り付けられている。
【００５８】
テンションボルト２１３は、フープ２１２をヘッド枠２０２の上面に押さえ付けるための部品であり、金属製の軸体の外周部に雄ネジが形成されたボルトで構成されている。このテンションボルト２１３は、フープ２１２における外径が張り出した部分を貫通した状態でラグ２１１の雌ネジに締め付けられている。これにより、ヘッド２０１は、ヘッド枠２０２がラグ２１１側に引っ張られることによりシェル２０３の端部に押し付けられて平らな膜状に張られた状態となる。
【００５９】
（電子打楽器２００の作動）
次に、このように構成した電子打楽器２００の作動について説明する。まず、演奏者は、電子打楽器２００における出力端子２０９と信号処理装置とを図示しないケーブルを介して電気的に接続して電子打楽器２００を演奏可能な状態とする。
【００６０】
次に、演奏者は、電子打楽器２００を演奏する。具体的には、演奏者は、スティックを用いてヘッド２０１の上面を叩く。これにより、各叩打センサ２０５ａ〜２０５ｃは、ヘッド２０１およびセンサ押圧体２０６をそれぞれ介して伝搬した振動に応じた検出信号を出力信号線２０７に直接または連結信号線２１０を介して間接的に出力信号線２０７に出力する。出力信号線２０７に伝達された検出信号は、コネクタ２０８を介して出力端子２０９のプリント配線基板２０９ａで叩打センサ１０４ａ〜１０４ｃからそれぞれ出力された検出信号の電気的な総和信号（振動波形の総和信号）に合成されて信号処理装置に出力される。これにより、信号処理装置は、出力信号線２０７を介して入力した前記総和信号からなる検出信号に基づいて楽音を表す楽音信号を生成して外部スピーカに出力する。この結果、電子打楽器２００は、演奏者の演奏操作に応じた楽音を外部スピーカから出力することができる。
【００６１】
一方、電子打楽器２００の演奏時において、電子打楽器２００は、前記電子打楽器１００と同様に、各叩打センサ２０５ａ〜２０５ｃ間における出力信号線２０７または連結信号線２１０の一か所で断線が生じた場合であっても支障なく演奏を続けることができる（図６および図７参照）。したがって、電子打楽器２００は、例えば、叩打センサ２０５ｂと叩打センサ２０５ｃとの間の連結信号線２１０が断線した場合には、叩打センサ２０５ｂの検出信号は叩打センサ２０５ｂと叩打センサ２０５ａとを繋ぐ連結信号線２１０、叩打センサ２０５ａおよび出力信号線２０７を介して信号処理装置に伝達される。
【００６２】
上記作動説明からも理解できるように、上記第２実施形態によれば、上記第１実施形態と同様に、電子打楽器２００は、３つの叩打センサ２０５ａ〜２０５ｃのうちの２つの叩打センサ２０５ａ，２０５ｃにそれぞれ信号処理装置に接続される出力信号線２０７を接続するとともに、これら２つの叩打センサ２０５ａ，２０５ｃ間ですべての叩打センサ２０５ａ〜２０５ｃを連結信号線２１０によって順次一繋がりに連結しているため、出力信号線２０７および連結信号線２１０のうちの一か所で断線が生じた場合であっても２つの出力信号線２０７のうちの一方を介して検出信号が信号処理装置に伝達される。このため、本願発明に係る電子打楽器２００によれば、信号処理装置に対する信号線の信頼性が向上して検出信号に基づく発音精度および発音品質を向上させることができる。また、この電子打楽器２００によれば、後述する第１信号線４１０および第２信号線４２０を用いた配線構造に比べて効率的な配線ができ、電子打楽器の構成を軽量化および簡単化することができる。
【００６３】
さらに、本発明の実施にあたっては、上記各実施形態に限定されるものではなく、本発明の目的を逸脱しない限りにおいて種々の変更が可能である。
【００６４】
例えば、上記各実施形態においては、叩打センサ１０４ａ〜１０４ｃ，２０５ａ〜２０５ｃは、ヘッド１０１，２０１に対してベース体１０２およびセンサ押圧体２０６を介して間接的に接触して振動を検出するように構成した。しかし、叩打センサ１０４ａ〜１０４ｃ，２０５ａ〜２０５ｃは、ヘッド１０１，２０１に対して直接的に接触して振動を検出するように構成してもよい。
【００６５】
また、上記各実施形態においては、叩打センサ１０４ａ〜１０４ｃ，２０５ａ〜２０５ｃは、ヘッド１０１，２０１の振動を検出する検出器で構成した。しかし、叩打センサ１０４ａ〜１０４ｃ，２０５ａ〜２０５ｃは、ヘッド１０１，２０１の振動および圧力変化のうちの少なくとも一方を検出する検出器で構成すればよい。したがって、叩打センサ１０４ａ〜１０４ｃ，２０５ａ〜２０５ｃは、ヘッド１０１，２０１の圧力変化を検出する検出器で構成することができる。
【００６６】
また、上記各実施形態においては、電子打楽器１００，２００は、それぞれ３つずつの叩打センサ１０４ａ〜１０４ｃ，２０５ａ〜２０５ｃを備えて構成した。しかし、電子打楽器１００，２００は、少なくとも２つ以上の叩打センサを備えて構成されていればよい。したがって、電子打楽器１００，２００は、例えば、図１１に示すように、２つの叩打センサ１０４ａ，１０４ｂ，２０５ａ，２０５ｂを備えて構成することもできる。
【００６７】
この場合、出力信号線１０６，２０７は２つの叩打センサ１０４ａ，１０４ｂ，２０５ａ，２０５ｂにおける互いに同極にそれぞれ接続し、連結信号線１０８，２１０は叩打センサ１０４ａ，１０４ｂ，２０５ａ，２０５ｂを互いに同極同士で接続する。なお、図１１は模式的に示しているため、叩打センサ１０４ａ，１０４ｂ，２０５ａ，２０５ｂの位置関係、出力信号線１０６，２０７および連結信号線１０８の長さはヘッド１０１，２０１の形状に応じて適宜決定されることは当然である。
【００６８】
また、上記各実施形態においては、叩打センサ１０４ａ〜１０４ｃ，２０５ａ〜２０５ｃは、ヘッド１０１，２０１の中心部分を中心として周方向に均等配置した。しかし、叩打センサ１０４ａ〜１０４ｃ，２０５ａ〜２０５ｃは、ヘッド１０１，２０１の振動を検出することができればよいため、必ずしも均等配置する必要はなく、不均等な配置であってもよいことは当然である。
【００６９】
また、上記各実施形態においては、出力信号線１０６，２０７および連結信号線１０８，２１０は、叩打センサ１０４ａ〜１０４ｃ，２０５ａ〜２０５ｃに対して叩打センサ１０４ａ〜１０４ｃ，２０５ａ〜２０５ｃの中心Ｏを介したそれぞれ反対側に接続されている。これにより、叩打センサ１０４ａ〜１０４ｃ，２０５ａ〜２０５ｃは、出力信号線１０６，２０７および連結信号線１０８，２１０の接続による叩打センサ１０４ａ〜１０４ｃ，２０５ａ〜２０５ｃの変形の偏りを抑えて叩打センサ１０４ａ〜１０４ｃ，２０５ａ〜２０５ｃの検出特性を安定化させることができる。
【００７０】
しかし、出力信号線１０６，２０７および連結信号線１０８，２１０は、叩打センサ１０４ａ〜１０４ｃ，２０５ａ〜２０５ｃに電気的に接続されていればよいため、両者を必ずしも反対側に接続する必要はない。したがって、出力信号線１０６，２０７および連結信号線１０８，２１０は、例えば、各叩打センサ１０４ａ〜１０４ｃ，２０５ａ〜２０５ｃに対して隣接して接続してもよいし、各叩打センサ１０４ａ〜１０４ｃ，２０５ａ〜２０５ｃの外縁部以外の場所（例えば、中央部）に接続するようにしてもよい。
【００７１】
また、上記各実施形態においては、出力信号線１０６，２０７および連結信号線１０８，２１０をそれぞれ電線で構成した。これにより、叩打センサ１０４ａ〜１０４ｃ，２０５ａ〜２０５ｃの設置および組付け作業を容易にすることができる。しかし、出力信号線１０６，２０７および連結信号線１０８，２１０は、フレキシブルケーブルまたはプリント配線基板上の配線で構成することもできる。
【００７２】
また、上記各実施形態においては、叩打センサ１０４ａ，１０４ｃ，２０５ａ，２０５ｃからそれぞれ延びる出力信号線１０６，２０７をコネクタ１０７，２０８を介してプリント配線基板１１２ａ，２０９ａにそれぞれ電気的に独立して接続した。しかし、出力信号線１０６，２０７は、プリント配線基板１１２ａ，２０９ａに半田付けなどを介して直接接続することができる。また、出力信号線１０６，２０７は、叩打センサ１０４ａ，２０５ａから延びる出力信号線１０６，２０７と叩打センサ１０４ｃ，２０５ｃから延びる出力信号線１０６，２０７とをコネクタ１０７，２０８内で接続してプリント配線基板１１２ａ，２０９ａに接続することもできる。
【００７３】
また、出力信号線１０６，２０７は、例えば、図１２に示すように、叩打センサ１０４ａ，２０５ａから延びる出力信号線１０６，２０７と叩打センサ１０４ｃ，２０５ｃから延びる出力信号線１０６，２０７とを接続してコネクタ１０７，２０８に延びる結合信号線３００を備えて構成することもできる。これによれば、コネクタ１０７，２０８に延びる配線数を減らすことができる。
【００７４】
また、出力信号線１０６，２０７は、コネクタ１０７，２０８および出力端子１１２，２０９および出力端子１１２，２０９と信号処理装置とを接続するケーブル（図示せず）を介して間接的に信号処理装置に接続するように構成した。しかし、出力信号線１０６，２０７は、信号処理装置に直接接続するように構成することもできる。
【００７５】
また、上記各実施形態においては、信号処理装置を音源とした。しかし、信号処理装置は、叩打センサ１０４ａ〜１０４ｃ，２０５ａ〜２０５ｃからそれぞれ出力される検出信号を用いて楽音を発生させるために必要な処理を行う各種機器で構成することができる。したがって、信号処理装置は、例えば、叩打センサ１０４ａ〜１０４ｃ，２０５ａ〜２０５ｃからそれぞれ出力される検出信号をデジタル信号に変換するＡ／Ｄ変換器またはＭＩＤＩ信号を生成するＭＩＤＩ変換器などで構成することもきる。
【００７６】
また、上記各実施形態においては、出力信号線１０６，２０７は３つの叩打センサ１０４ａ〜１０４ｃ，２０５ａ〜２０５ｃのうちの２つの叩打センサ１０４ａ，１０４ｃ，２０５ａ，２０５ｃにそれぞれ接続するとともに、連結信号線１０８，２１０は２つの叩打センサ１０４ａ，１０４ｃ，２０５ａ，２０５ｃ間ですべての叩打センサ１０４ａ〜１０４ｃ，２０５ａ〜２０５ｃを順次一繋ぎになるように接続した。
【００７７】
しかし、３つすべての叩打センサ１０４ａ〜１０４ｃ，２０５ａ〜２０５ｃに対してそれぞれ接続される第１信号線４１０と、この第１信号線４１０とは別に３つすべての叩打センサ１０４ａ〜１０４ｃ，２０５ａ〜２０５ｃに対してそれぞれ接続される第２信号線４２０とを設けてこれらをコネクタ４３０を介して出力端子４４０のプリント配線基板４５０に接続するように構成することもできる。この場合、第１信号線４１０および第２信号線４２０は、叩打センサ１０４ａ〜１０４ｃ，２０５ａ〜２０５ｃに対して正極同士および負極同士の同極同士を互いに接続（並列接続）する。
【００７８】
これによっても、第１信号線４１０および第２信号線４２０のうちの一方が断線した場合であっても他方を通じて検出信号を信号処理装置に供給することができる。なお、図１３は模式的に示しているため、叩打センサ１０４ａ〜１０４ｃ，２０５ａ〜２０５ｃの位置関係、第１信号線４１０および第２信号線４２０の長さはヘッド１０１，２０１の形状に応じて適宜決定されることは当然である。
【００７９】
また、上記各実施形態においては、電子打楽器１００，２００として電子シンバルおよび電子ドラムを採用した。しかし、電子打楽器は、演奏者が叩いたヘッドの衝撃を検出して電子的な楽音を発生させる電子楽器であれば広く採用することができる。したがって、電子打楽器は、例えば、２つのヘッドを上下方向に互いに対向配置してこれらの両者をペダル操作によって接触または離隔させる所謂電子ハイハット、または電子パーカッションなどで構成することもできる。
【符号の説明】
【００８０】
Ｏ…叩打センサの中心、Ｐ１…出力信号線の叩打センサ上での接続点、Ｐ２…連結信号線の叩打センサ上での接続点、Ｅ…連結信号線の接続点の形成領域、
９０…スタンド、９１ａ，９１ｂ…押圧具、
１００…電子打楽器、１０１…ヘッド、１０２…ベース体、１０２ａ…取付孔、１０２ｂ…裏面、１０２ｃ…取付部、１０３…保持プレート、１０３ａ…取付ボルト、１０４ａ，１０４ｂ，１０４ｃ…叩打センサ、１０５…両面テープ、１０６…出力信号線、１０７…コネクタ、１０８…連結信号線、
１１０…パッド、１１１…裏面カバー、１１２…出力端子、１１２ａ…プリント配線基板、
２００…電子打楽器、２０１…ヘッド、２０１ａ…打面、２０１ｂ…裏面、２０２…ヘッド枠、２０３…シェル、２０４…センサ支持体、２０５ａ〜２０５ｃ…叩打センサ、２０６…センサ押圧体、２０７…出力信号線、２０８…コネクタ、２０９…出力端子、２０９ａ…プリント配線基板、２１０…連結信号線、２１１…ラグ、２１２…フープ、２１３…テンションボルト、
３００…結合信号線、
４１０…第１信号線、４２０…第２信号線、４３０…コネクタ、４４０…プリント配線基板。
【図１】
2018109717.tif 000003
【図２】
2018109717.tif 000004
【図３】
2018109717.tif 000005
【図４】
2018109717.tif 000006
【図５】
2018109717.tif 000007
【図６】
2018109717.tif 000008
【図７】
2018109717.tif 000009
【図８】
2018109717.tif 000010
【図９】
2018109717.tif 000011
【図１０】
2018109717.tif 000012
【図１１】
2018109717.tif 000013
【図１２】
2018109717.tif 000014
【図１３】
2018109717.tif 000015
【手続補正書】
【提出日】平成29年9月26日(2017.9.26)
【手続補正１】
【補正対象書類名】特許請求の範囲
【補正対象項目名】全文
【補正方法】変更
【補正の内容】
【特許請求の範囲】
【請求項１】
演奏者によって叩かれる打面を構成するヘッドと、
前記ヘッドに対して互いに異なる位置で直接的または間接的に接触して前記ヘッドの叩打による振動および圧力のうちの少なくとも一方を検出して電気的な検出信号に変換する複数の叩打センサと、
前記複数の叩打センサのうちの２つの前記叩打センサの各正極および各負極からそれぞれ延びるとともに、前記検出信号を処理する信号処理装置に直接的または間接的に接続される正負一対の電線からなる２つの出力信号線と、
前記２つの出力信号線間ですべての前記叩打センサの各正極同士および各負極同士を順次一繋ぎに接続する正負一対の電線からなる連結信号線とを備えることを特徴とする電子打楽器。
【請求項２】
請求項１に記載した電子打楽器において、さらに、
それぞれ電線で構成された前記２つの出力信号線を互いに電気的に接続するプリント配線基板を備えることを特徴とする電子打楽器。
【請求項３】
請求項２に記載した電子打楽器において、
前記２つの出力信号線は、コネクタを介して前記プリント配線基板に接続されていることを特徴とする電子打楽器。
【請求項４】
請求項１ないし請求項３のうちのいずれか１つに記載した電子打楽器において、
前記複数の叩打センサは、
前記ヘッドの平面視での中心部分を中心として均等配置されていることを特徴とする電子打楽器。
【請求項５】
請求項１ないし請求項４のうちのいずれか１つに記載した電子打楽器において、
前記叩打センサは、板状の圧電素子で構成されており、
前記出力信号線および前記連結信号線は、
前記叩打センサの中心を介したそれぞれ反対側に接続されていることを特徴とする電子打楽器。
【手続補正２】
【補正対象書類名】明細書
【補正対象項目名】０００６
【補正方法】変更
【補正の内容】
【０００６】
上記目的を達成するため、本発明の特徴は、演奏者によって叩かれる打面を構成するヘッドと、ヘッドに対して互いに異なる位置で直接的または間接的に接触してヘッドの叩打による振動および圧力のうちの少なくとも一方を検出して電気的な検出信号に変換する複数の叩打センサと、複数の叩打センサのうちの２つの叩打センサの各正極および各負極からそれぞれ延びるとともに、検出信号を処理する信号処理装置に直接的または間接的に接続される正負一対の電線からなる２つの出力信号線と、前記２つの出力信号線間ですべての叩打センサの各正極同士および各負極同士を順次一繋ぎに接続する正負一対の電線からなる連結信号線とを備えることにある。
【手続補正３】
【補正対象書類名】明細書
【補正対象項目名】００１４
【補正方法】変更
【補正の内容】
【００１４】
また、本発明の他の特徴は、前記電子打楽器において、叩打センサは、板状の圧電素子で構成されており、出力信号線および連結信号線は、叩打センサの中心を介したそれぞれ反対側に接続されていることにある。
【手続補正４】
【補正対象書類名】明細書
【補正対象項目名】００１６
【補正方法】変更
【補正の内容】
【００１６】
また、上記目的を達成するため、演奏者によって叩かれる打面を構成するヘッドと、ヘッドに対して互いに異なる位置で直接的または間接的に接触してヘッドの叩打による振動および圧力のうちの少なくとも一方を検出して電気的な検出信号に変換する複数の叩打センサと、すべての叩打センサからそれぞれ延びるとともに、検出信号を処理する信号処理装置に直接的または間接的に接続される複数の第１信号線と、第１信号線とは別に設けられてすべての叩打センサからそれぞれ延びて信号処理装置に直接的または間接的に接続される第２信号線とを備えるようにしてもよい。
【手続補正５】
【補正対象書類名】明細書
【補正対象項目名】００１７
【補正方法】変更
【補正の内容】
【００１７】
これによれば、電子打楽器は、複数の叩打センサから出力される検出信号を処理する信号処理装置に対して複数の叩打センサがそれぞれ第１信号線および第２信号線の２つの信号線で電気的に接続されているため、第１信号線および第２信号線のうちの一方が断線した場合であっても他方の信号線によって検出信号が信号処理装置に伝達されるため、信号線の信頼性が向上して検出信号に基づく発音精度および発音品質を向上させることができる。